(57)【特許請求の範囲】
【請求項１】
被操作機器に対する操作を受け付ける操作部と、該操作部の操作に応じて前記被操作機器へ操作信号を送信する送信手段とを備える遠隔操作器において、
複数の面を有する筐体と、
該筐体の一の面に設けられた固定側操作部と、
前記一の面に平行な回転軸を介して前記筐体に回転可能に連結され、前記回転軸に平行な２つの板面を有する板状の回転部と、
該回転部の２つの板面にそれぞれ設けられた回転側操作部と、
前記回転部の回転位置を検出する回転位置検出手段と、
該回転位置検出手段の検出結果に応じて、前記固定側操作部と同じ側の回転側操作部を判定する判定手段とを備え、
該判定手段が前記固定側操作部と同じ側と判定した回転側操作部が受け付けた操作に応じて、前記送信手段が操作信号を送信するようにしてあり、
前記回転部は、透過型の液晶表示部と、該液晶表示部の表裏面をそれぞれ覆うタッチパネルとを有し、
前記液晶表示部の表裏面をそれぞれ前記回転側操作部にしてあること
を特徴とする遠隔操作器。
【請求項２】
前記送信手段による操作信号の送信を行う赤外線発光部が、前記回転部の前記回転軸の同軸上に設けてある請求項１に記載の遠隔操作器。
【請求項３】
前記判定手段の判定結果に応じて、受け付ける操作内容の一部又は全部が異なる複数の操作受付状態の切り替えを行う切替手段を備え、
前記固定側操作部は、複数の前記操作受付状態に共通の操作を受け付けるようにしてある請求項１又は請求項２に記載の遠隔操作器。
【発明の詳細な説明】
【技術分野】
【０００１】
本発明は、テレビ、ビデオデッキ、ＤＶＤプレーヤ及びハードディスクレコーダ等の電気機器を遠隔操作する遠隔操作器に関する。
【背景技術】
【０００２】
遠隔操作器は、赤外線又は無線信号等の手段を用いて、ユーザからの操作要求を電気機器へ伝えるものであり、電気機器は遠隔操作器から与えられた操作要求に応じて動作する。近年においては、電気機器は多機能化しており、電気機器の多機能化に伴って遠隔操作器もまた多機能化し、遠隔操作器にはより多くのボタン及びスイッチ等が設けられる。
【０００３】
しかし、遠隔操作器は携帯性が求められるため、大型化には限度があり、配設可能なボタン及びスイッチ等の数に限度がある。また、遠隔操作器に多くのボタン及びスイッチを設けた場合には、操作がわかりにくく、ユーザが使用しにくいという問題がある。例えば、ハードディスク、ＤＶＤ及びブルーレイディスクを備える記録装置を操作する遠隔操作器の場合、３つの記録媒体を選択して操作しなければならないため、操作がわかりにくい遠隔操作器では、誤って目的と異なる記録媒体にデータの記録を行う虞がある。
【０００４】
特許文献１においては、ビデオカメラの操作を行う遠隔操作器の両面に操作スイッチが設けられている。一の面には、ビデオカメラのＶＴＲモードに対応する早送り、巻き戻し及び再生等のスイッチが配され、他の面には、カメラモードに対応するレンズの広角、レンズの望遠、録画及び停止等のスイッチが配されている。遠隔操作器は上下方向を判定する重力センサを備えており、遠隔操作器の上面のスイッチを有効とし、下面のスイッチを無効とするようにしてある。これにより、遠隔操作器の操作性を向上し、また、遠隔操作器を小型化することができる。
【特許文献１】特開平４−５１６９７号公報
【発明の開示】
【発明が解決しようとする課題】
【０００５】
しかしながら、特許文献１に記載の遠隔操作器においては、遠隔操作器の下面のスイッチは無効とされ、使用できないため、例えば電源スイッチ及び停止スイッチ等のＶＴＲモード及びカメラモードの両方で使用するスイッチに関しても、それぞれ別に設けなければならず、スイッチの数が増加するという問題がある。また、遠隔操作器の未使用時には、何れか一方の面が床上又は机上等に接触した状態で置かれるため、接触する面に設けられたスイッチが傷付く虞がある。
【０００７】
本発明は、斯かる事情に鑑みてなされたものであって、その目的とするところは、筐体に回転軸を介して回転可能に連結された板状の回転部の表裏に２つの回転側操作部をそれぞれ設け、回転部が回転された場合に、筐体に設けられた固定側操作部と同じ側の回転側操作部が操作を受け付ける構成とすることにより、より多くのボタン又はスイッチ等を回転部の表裏に設けることができ、また、使用しないボタン又はスイッチ等の誤操作を防止できる遠隔操作器を提供することにある。
【０００８】
また本発明の他の目的とするところは、透過型の液晶表示部の表裏面にタッチパネルを設け、液晶表示部の表裏面を回転側操作部とする構成により、表裏２面に操作部を有する回転部を簡単に実現することができる遠隔操作器を提供することにある。
【００１０】
また本発明の他の目的とするところは、被操作機器に操作信号を送信する赤外線発光部を、回転部の回転軸の同軸上に設ける構成とすることにより、回転部を回転させた場合に赤外線発光部の位置が変わらない遠隔操作器を提供することにある。
【００１１】
また本発明の他の目的とするところは、回転部の回転位置に応じて、受け付ける操作内容が異なる複数の操作受付状態のうちの１つの状態に切り替える構成とすることにより、ユーザが操作しやすく、また、複数の操作受付状態に共通の操作を固定側操作部が受け付ける構成とすることにより、操作のためのボタン又はスイッチ等の数を少なくできる遠隔操作器を提供することにある。
【課題を解決するための手段】
【００１４】
本発明に係る遠隔操作器は、被操作機器に対する操作を受け付ける操作部と、該操作部の操作に応じて前記被操作機器へ操作信号を送信する送信手段とを備える遠隔操作器において、複数の面を有する筐体と、該筐体の一の面に設けられた固定側操作部と、前記一の面に平行な回転軸を介して前記筐体に回転可能に連結され、前記回転軸に平行な２つの板面を有する板状の回転部と、該回転部の２つの板面にそれぞれ設けられた回転側操作部と、前記回転部の回転位置を検出する回転位置検出手段と、該回転位置検出手段の検出結果に応じて、前記固定側操作部と同じ側の回転側操作部を判定する判定手段とを備え、該判定手段が前記固定側操作部と同じ側と判定した回転側操作部が受け付けた操作に応じて、前記送信手段が操作信号を送信するようにしてあり、前記回転部は、透過型の液晶表示部と、該液晶表示部の表裏面をそれぞれ覆うタッチパネルとを有し、前記液晶表示部の表裏面をそれぞれ前記回転側操作部にしてあることを特徴とする。
【００１５】
本発明においては、板状の回転部の表裏面にそれぞれ回転側操作部を設け、筐体に設けられた固定側操作部と同じ側の回転側操作部が操作を受け付け、他の回転側操作部は操作を受け付けない。遠隔操作器を大型化することなく、より多くのボタン又はスイッチ等が配設可能となる。また、ユーザによる誤操作が防止できる。
【００１７】
本発明においては、透過型の液晶表示部の表裏面にタッチパネルを設け、液晶表示部の表裏面を回転側操作部とする。これにより、２つの回転側操作部が１つの液晶表示部を共用して操作に係るボタン又はメニュー等の表示を行うことができる。
【００２０】
また、本発明に係る遠隔操作器は、前記送信手段による操作信号の送信を行う赤外線発光部が、前記回転部の前記回転軸の同軸上に設けてあることを特徴とする。
【００２１】
本発明においては、被操作機器に操作信号を送信する赤外線発光部を、回転部の回転軸の同軸上に設ける。これにより、回転部の回転位置に関係なく、赤外線発光部の位置が同じとなる。
【００２２】
また、本発明に係る遠隔操作器は、前記判定手段の判定結果に応じて、受け付ける操作内容の一部又は全部が異なる複数の操作受付状態の切り替えを行う切替手段を備え、前記固定側操作部は、複数の前記操作受付状態に共通の操作を受け付けるようにしてあることを特徴とする。
【００２３】
本発明においては、回転部の回転位置に応じて、受け付ける操作内容が異なる複数の操作受付状態のうちの１つの状態に切り替える。被操作機器の操作に係る操作受付状態毎に回転側操作部を設ける。例えば、被操作機器が、ハードディスクレコーダ又はＤＶＤレコーダ等の記録機器である場合、記録機器に備えられたチューナを利用して番組を視聴するためのチューナ操作受付状態（チューナモード）、及び記録媒体に番組を記録する又は記録された番組を再生する等の操作を行うための記録媒体操作受付状態（記録媒体モード）等に切り替えを行う。また、例えば、ハードディスク及びＤＶＤ等の複数の記録媒体に番組の記録を行うことができる記録装置である場合、記録機器に備えられたチューナが受信した放送信号又は記録媒体に記録された放送信号を表示するための操作を受け付ける表示操作受付状態（ユーザが番組を「見る」モード）、放送信号を記録するための操作を受け付ける記録操作受付状態（受信した番組を「録る」モード）、及び記録媒体に記録されている放送信号を他の記録媒体へ記録する再記録操作受付状態（記録媒体間のデータコピー又は移動を行う「ダビング」モード）等に切り替えを行う。これにより、ユーザが目的に応じて回転部を回転させて遠隔操作器を使用し、目的に必要なボタン又はスイッチ等のみが操作可能となる。また、固定側操作部に、複数の操作受付状態に共通の操作を行うボタン又はスイッチ等を設ける。これにより、ボタン又はスイッチの数が少なくなる。
【発明の効果】
【００２５】
本発明による場合は、板状の回転部の表裏に回転側操作部をそれぞれ設け、ユーザが回転部を回転した場合に、筐体に設けられた固定側操作部と同じ側となった回転側操作部が操作を受け付ける構成とすることにより、遠隔操作機を大型化せずにより多くのボタン又はスイッチ等を設けることができる。また、例えば、回転側操作部の操作内容を操作対象別又は機能別等に分けた場合には、ユーザが必要な操作のみを行うことができるため、誤操作を防止することができ、遠隔操作器の操作性を向上することができる。
【００２６】
また、本発明による場合は、透過型の液晶表示部の表裏面にタッチパネルを設け、液晶表示部の表裏面を回転側操作部とする構成により、２つの回転側操作部が１つの液晶表示部を共用して操作に係るボタン又はメニュー等の表示を行うことができるため、液晶表示部をそれぞれ有する場合と比較して、遠隔操作器の部品コストを低減することができる。また、未使用時に遠隔操作器を床上又は机上等に置いた場合に、回転側操作部の非操作面のボタンが床又は机に接触して損傷する又は誤操作が起こる虞を、タッチパネルを用いることにより解消できる。
【００２８】
また、本発明による場合は、被操作機器に操作信号を送信する赤外線発光部を、回転部の回転軸の同軸上に設ける構成とすることにより、回転部の回転位置に関係なく、赤外線発光部の位置が同じとなるため、被操作機器への赤外線による操作信号の送信をユーザが安定して行うことができる。
【００２９】
また、本発明による場合は、回転部の回転位置に応じて、受け付ける操作内容が異なる複数の操作受付状態のうちの１つの状態に切り替える構成とすることにより、回転部の位置でユーザが遠隔操作器の操作受付状態を簡単に判断できるため、操作性を向上させることができる。また、複数の操作受付状態に共通の操作を固定側操作部が受け付ける構成とすることにより、遠隔操作器のボタン又はスイッチの数を減少させることができるため、遠隔操作器が大型化することを防止できる。
【発明を実施するための最良の形態】
【００３０】
以下、本発明をその実施の形態を示す図面に基づき具体的に説明する。図１は、本発明に係る遠隔操作器の構成を示す平面図であり、（ａ）に正面側を図示し、（ｂ）に背面側を図示してある。また、図２は、本発明に係る遠隔操作器の構成を示す側面図であり、図３は、本発明に係る遠隔操作器の構成を示す斜視図である。なお、本実施の形態の遠隔操作器は、チューナにて受信した放送信号に係る番組をハードディスクに録画するハードディスクレコーダ（図示せず）の操作を行うための遠隔操作器である。
【００３１】
図において１は遠隔操作器の合成樹脂製の筐体であり、筐体１は扁平な略直方体をなしている。筐体１の正面には、複数のボタン及びカーソルキー等を有する固定側操作部３が設けられ、また、筐体１の一側面には、回転軸（図４及び図５にて図示する）を介して、略長方形の板状の回転部２が、筐体１に対して回転可能に連結されている。なお、回転軸は筐体１の側面と回転部２の側面とに連結されており、回転部２を回転させて、回転部２の２つの広い面のいずれか一方を、筐体１の正面と平行に、且つ同じ方向を向く位置とすることができる。
【００３２】
また、筐体１の背面の四隅には、平面視が略正方形の脚部９、９…が突設してあり、遠隔操作器を机上又は床上等に置いた場合に、脚部９、９…のみが机又は床等に接触するようにしてある。脚部９、９…により、遠隔操作器が机上又は床上等に置かれた場合、ユーザが手に取りやすく、また、安定して遠隔操作機を設置できるという利点がある。ただし、脚部９、９…は必ずしも必要ではなく、脚部９、９…を備えない構成であってもよい。また、形状は略正方形に限らず、略円形又は略三角形等であってもよい。
【００３３】
回転部２は筐体１より薄く、回転部２の回転軸に連結された側面の反対側面には、回転軸の同軸上に、赤外線発光部５が設けられている。ユーザからの操作要求は赤外線信号に変換され、赤外線発光部５からハードディスクレコーダに備えられた赤外線受光部へ送られる。ハードディスクレコーダは、赤外線受光部にて受光した赤外線信号を電気信号に変換して操作要求を得て、操作要求に応じて動作を行うようにしてある。赤外線発光部５を回転部２の回転軸と同軸上に設けることにより、回転部２が回転した場合に、赤外線発光部５の位置が変わらないため、ユーザがハードディスクレコーダへ安定して赤外線信号を送信することができる。
【００３４】
回転部２は、透過型の液晶パネルを備えており、液晶パネルの周囲に合成樹脂製の外枠を設けた構成である。液晶パネルの表裏の両面にはタッチパネルが着設してあり、それぞれの面を液晶表示及びタッチパネルによる回転側操作部４ａ及び４ｂとしてある。液晶パネルに着設されるタッチパネルは、アナログ容量結合方式のタッチパネルである。アナログ容量結合方式のタッチパネルは、ガラスを導電膜で均一にコーティングして、ガラスの表面に電界を張り巡らせ、ユーザの指が触れた場合に生じる電界の変化による容量結合の変化を測定して、接触位置を特定する。アナログ容量結合方式のタッチパネルは、非導電性の物質が触れても反応しないため、未使用時の遠隔操作器の誤操作を低減できる。
【００３５】
図４は、本発明に係る遠隔操作器の一部透視平面図であり、図５は、本発明に係る遠隔操作器の一部透視側面図である。図４及び図５では、遠隔操作器の筐体１の内部を透視して模式的に破線で図示してある。
【００３６】
回転部２の側面の略中央には円柱状の回転軸２０が固定されており、回転軸２０が筐体１の側面に形成された円形穴に挿入されて、回転部２が回転可能となるように筐体１に枢支されている。回転軸２０の回転部２に固定された側の反対端部は筐体１内に突出しており、この端部近傍には、略矩形の回転検知板２１がラジアル方向に突設されている。また、回転検知板２１は、回転部２と略平行となるように設けられている。
【００３７】
筐体１内には、液晶パネルを駆動するドライバ回路及び制御回路等が備えられた回路基板２３が収容してあり、筐体１の背面側の内壁に固定してある。回転軸２０の端部は、遠隔操作器の平面視で回路基板２３と一部が重なっており、回転軸２０及び回路基板２３は、接触しない程度に、十分近くに配されている。回転部２を一定の角度以上に回転させた場合には、回転軸２０に設けられた回転検知板２１が回路基板２３に接触するため、回転部２は略１８０゜以上回転することができない。
【００３８】
筐体１内に配された回路基板２３には、回転軸２０の回転検知板２１が接触する位置に回転検知スイッチ２２ａ及び２２ｂが設けてある。回転検知スイッチ２２ａ及び２２ｂにより、回転検知板２１が接触しているか否かを検知することができる。よって、２つの回転検知スイッチ２２ａ及び２２ｂを、回転軸２０を挟むように両側に設けることで、回転部２の表裏どちらの面が筐体１の正面を向いているかを検知することができる。
【００３９】
回転部２の表裏面に設けられた２つの回転側操作部４ａ及び４ｂは、回転部２を回転させ、筐体１の正面を向いている側のみが操作を受け付けるようにしてある。例えば、一方の回転側操作部４ａには、ハードディスクレコーダに備えられたチューナにて受信された番組を直接視聴する場合に必要なボタン又はメニュー等が表示され、他方の回転側操作部４ｂには、ハードディスクに録画された番組を視聴する又はハードディスクに番組を録画する場合に必要なボタン又はメニュー等が表示される。
【００４０】
図６は、本発明に係る遠隔操作器の回転側操作部４ａ及び４ｂの液晶パネルの表示例である。図６において、（ａ）はチューナにて受信された番組を直接視聴する場合（チューナモード）に使用する選局用ボタンの表示例であり、回転側操作部４ａに表示される。（ｂ）はハードディスクに記録された番組の視聴又はハードディスクに番組の録画を行う場合（ハードディスクモード）に使用する再生・録画用ボタンの表示例であり、回転側操作部４ｂに表示される。
【００４１】
チューナモード時に回転側操作部４ａに表示される選局用ボタンは、１〜１２の番号が付されたチャンネルボタンと、地上波アナログ放送、地上波デジタル放送、ＢＳデジタル放送又はＣＳ放送を切り替えるボタンとにより構成される。また、ハードディスクモード時に回転側操作部４ｂに表示される再生・録画用ボタンは、再生、停止、巻き戻し、早送り、録画及び一時停止等のボタンにより構成される。
【００４２】
なお、回転操作部４ａ及び４ｂは、透過型の液晶パネルの表裏面にそれぞれ設けられているため、（ａ）の選局用ボタン又は（ｂ）の再生・録画用ボタンの何れか一方、この場合は筐体１の正面側の一方のみが表示される。ユーザは、ハードディスクレコーダの使用状況に応じて、回転部２を回転させ、ボタンの表示を切り替えて操作を行う。これにより、不必要なボタンが表示されないため、表示される操作可能なボタン数を減少でき、遠隔操作器を使用し易くできる。
【００４３】
また、筐体１に設けられた固定側操作部３には、チューナモード及びハードディスクモードに共通で使用されるボタンが配されている。これは、例えば音量の調節ボタン、表示される映像の画質を調整するメニューを表示させるボタン、タイマー設定のメニューを表示するボタン及びメニューが表示された場合にメニューの項目を選択するためのカーソルキー等である。共通で使用されるボタンを固定側操作部３に配することにより、回転側操作部４ａ及び４ｂに表示するボタンの数を減少できる。
【００４４】
図７は、本発明に係る遠隔操作器の構成を示すブロック図である。回転部２は透過型液晶パネル３２と、透過型液晶パネルの表裏面にそれぞれ着設されたタッチパネル３３ａ及び３３ｂを有している。なお、タッチパネル３３ａが回転側操作部４ａのものであり、タッチパネル３３ｂが回転側操作部４ｂのものである。
【００４５】
タッチパネル３３ａ及び３３ｂ、並びに固定側操作部３にて受け付けたユーザからの操作は、遠隔操作器の動作を制御する制御部３１へ与えられる。制御部３１は、ユーザの操作に応じてハードディスクレコーダを操作するための操作信号を生成し、赤外線発光部５へ与える。赤外線発光部５に与えられた操作信号は、赤外線の信号に変換されて、ハードディスクレコーダへ送信される。
【００４６】
また、制御部３１は、回転部２の回転位置に応じて、遠隔操作器の動作モードを切り替える。制御部３１には、回転検知スイッチ２２ａ及び２２ｂから回転検知板２１が触れたか否かの検知結果が与えられており、検知結果から回転部２の表裏面に設けられた回転側操作部４ａ及び４ｂのいずれが筐体１の正面側であるかを判定する。この判定の結果に応じて、動作モードの切替を行い、制御部３１は透過型液晶パネル３２に表示命令を与えて、表示を変更する。また、制御部３１は、筐体１の正面側のタッチパネル３３ａ又は３３ｂからのみ、操作を受け付けるようにしてある。なお、回転検知スイッチ２２ａに回転検知板２１が触れてスイッチがオンとなった状態が、回転側操作部４ａが正面側の場合であり、回転検知スイッチ２２ｂに回転検知板２１が触れてスイッチがオンとなった状態が、回転側操作部４ｂが正面側の場合である。
【００４７】
図８は、本発明の遠隔操作器の回転部２が回転された場合に制御部３１が行う処理を示すフローチャートである。制御部３１は、回転検知スイッチ２２ａに回転検知板２１が接触してオンの状態であるか否かを調べ（ステップＳ１）、回転検知スイッチ２２ａがオンの状態でない場合は（Ｓ１：ＮＯ）、更に回転検知スイッチ２２ｂがオンの状態であるか否かを調べる（ステップＳ２）。
【００４８】
ステップＳ２にて、回転検知スイッチ２２ｂがオンの状態でない場合は（Ｓ２：ＮＯ）、回転検知スイッチ２２ａ及び２２ｂが共にオンの状態でなく、例えば図３に示すような回転の途中状態であるため、タッチパネル３３ａ及び３３ｂを共に、ユーザからの操作を受け付け不可に設定する（ステップＳ３）。更に、透過型液晶パネル３２を非表示にして（ステップＳ４）、回転側操作部４ａ及び４ｂの両方を操作を受け付け不可に設定する。その後、ステップＳ１へ戻る。
【００４９】
ステップＳ１にて、回転検知スイッチ２２ａがオンの状態である場合（Ｓ１：ＹＥＳ）、回転側操作部４ａが筐体１の正面側であると判定し、遠隔操作器の動作モードをチューナモードに切り替える（ステップＳ５）。その後、透過型液晶パネル３２に図６（ａ）に示した選局用ボタンを表示し（ステップＳ６）、タッチパネル３３ａをユーザからの操作を受け付け可能に設定する（ステップＳ７）。
【００５０】
ステップＳ２にて、回転検知スイッチ２２ｂがオンの状態である場合（Ｓ２：ＹＥＳ）、回転側操作部４ｂが筐体１の正面側であると判定し、遠隔操作器の動作モードをハードディスクモードに切り替える（ステップＳ８）。その後、透過型液晶パネル３２に図６（ｂ）に示した再生・録画用ボタンを表示し（ステップＳ９）、タッチパネル３３ｂをユーザからの操作を受け付け可能に設定する（ステップＳ１０）。ステップＳ７又はステップＳ１０にて、タッチパネル３３ａ又は３３ｂを受付可能に設定した後、処理を終了し、制御部３１は固定側操作部、回転側操作部４ａ又は４ｂがユーザからの操作を受け付けるまで待機する。
【００５１】
図９は、本発明に係る遠隔操作器が操作を受け付けた場合に制御部３１が行う処理を示すフローチャートである。制御部３１は、回転側操作部４ａ又は４ｂがユーザにより操作されたか否かを調べ（ステップＳ３１）、操作されていない場合は（Ｓ３１：ＮＯ）、操作されるまで待機する。
【００５２】
いずれかの操作部がユーザにより操作された場合は（Ｓ３１：ＹＥＳ）、動作モードがチューナモードであるか否かを調べる（ステップＳ３２）。動作モードがチューナモードである場合は（Ｓ３２：ＹＥＳ）、チューナを操作するための操作信号を生成する（ステップＳ３３）。ステップＳ３２にて、動作モードがチューナモードでない場合（Ｓ３２：ＮＯ）、動作モードはハードディスクモードであるため、ハードディスクを操作するための操作信号を生成する（ステップＳ３４）。ステップＳ３３又はＳ３４にて操作信号を生成した後、赤外線発光部５から赤外線により操作信号の送信を行い（ステップＳ３５）、処理を終了する。
【００５３】
以上の構成の遠隔操作器においては、回転部２の表裏面に回転側操作部４ａ及び４ｂを設けて、一方をハードディスクレコーダのチューナを操作するための操作部とし、他方をハードディスクを操作するための操作部とすることにより、ユーザによる遠隔操作器の操作性を向上させることができる。また、筐体１の背面側のタッチパネル３３ａ又は３３ｂが、ユーザからの操作を受け付けない構成とすることにより、誤操作を防止することができる。また、１つの透過型液晶パネル３２により回転部２の表裏面の表示を行う構成とすることにより、回転部２の表裏面にそれぞれ液晶パネルを設ける構成と比較して、遠隔操作器のコストを低減できる。
【００５４】
なお、本実施の形態においては、回転部２の表裏面の回転側操作部４ａ及び４ｂを、透過型液晶パネル３２とタッチパネル３３ａ及び３３ｂとで構成したが、これに限るものではなく、例えば、押しボタン又はスイッチ等を回転部２の表裏面に複数配設する構成としてもよい。また、タッチパネル３３ａ及び３３ｂをアナログ容量結合方式のタッチパネルとしたが、これに限るものではなく、アナログ抵抗膜方式、超音波方式又は赤外線方式等の他の方式のタッチパネルであってもよい。また、回転部２の回転位置を検知するために、２つの回転検知スイッチ２２ａ及び２２ｂを設ける構成を示したが、これに限るものではなく、何れか一方のみを設ける構成であってもよく、また、回転位置の検知を他の方法で行ってもよい。また、図６に示した回転側操作部４ａ及び４ｂのボタンの配置及び種類は一例であって、これに限るものではない。同様に、固定側操作部３のボタン配置及び種類は一例であって、これに限るものではない。
【００５５】
（変形例）  上述の遠隔操作器は、透過型液晶パネル３２の表裏面にタッチパネル３３ａ及び３３ｂを着設して、回転部２に２つの操作部を設ける構成としたが、変形例に係る遠隔操作器は、反射型の液晶パネルを備える構成である。図１０は、本発明の変形例に係る遠隔操作器の構成を示すブロック図である。
【００５６】
遠隔操作器の回転部２は、２つの反射型液晶パネル３４ａ及び３４ｂと、反射型液晶パネル３４ａ及び３４ｂの表面にそれぞれ着設されたタッチパネル３３ａ及び３３ｂとを有している。なお、反射型液晶パネル３４ａ及びタッチパネル３３ａが回転側操作部４ａのものであり、反射型液晶パネル３４ｂ及びタッチパネル３３ｂが回転側操作部４ｂのものである。
【００５７】
タッチパネル３３ａ及び３３ｂ、並びに固定側操作部３にて受け付けたユーザからの操作は、遠隔操作器の動作を制御する制御部３５へ与えられる。制御部３５は、ユーザの操作に応じてハードディスクレコーダを操作するための操作信号を生成し、赤外線発光部５へ与える。また、制御部３５は、回転検知スイッチ２２ａ及び２２ｂの検知結果から、回転部２の表裏面に設けられた回転側操作部４ａ及び４ｂのいずれが筐体１の正面側であるかを判定し、正面側の反射型液晶パネル３４ａ又は３４ｂに表示命令を与えて、操作に係るボタンを表示する。
【００５８】
以上の構成の遠隔操作器においては、２つの反射型液晶パネル３４ａ及び３４ｂにより回転側操作部４ａ及び４ｂを構成する場合であっても、透過型液晶パネル３２による場合と同様の効果を得ることができる。更に、反射型液晶パネル３４ａ及び３４ｂをそれぞれ設けることにより、筐体１の背面側の反射型液晶パネル３４ａ又は３４ｂにも表示を行うことが可能である。また、例えば回転部２を三角柱形状とした場合に、回転部２の３つの側面に３つの反射型液晶パネル及びタッチパネルをそれぞれ設けることにより、回転側操作部を３つ備える遠隔操作器を実現できる。同様にして、４つ以上の回転側操作部を備える遠隔操作器を実現できる。
【図面の簡単な説明】
【００５９】
【図１】本発明に係る遠隔操作器の構成を示す平面図である。
【図２】本発明に係る遠隔操作器の構成を示す側面図である。
【図３】本発明に係る遠隔操作器の構成を示す斜視図である。
【図４】本発明に係る遠隔操作器の一部透視平面図である。
【図５】本発明に係る遠隔操作器の一部透視側面図である。
【図６】本発明に係る遠隔操作器の回転側操作部の液晶パネルの表示例である。
【図７】本発明に係る遠隔操作器の構成を示すブロック図である。
【図８】本発明の遠隔操作器の回転部が回転された場合に制御部が行う処理を示すフローチャートである。
【図９】本発明に係る遠隔操作器が操作を受け付けた場合に制御部が行う処理を示すフローチャートである。
【図１０】本発明の変形例に係る遠隔操作器の構成を示すブロック図である。
【符号の説明】
【００６０】
１  筐体
２  回転部
３  固定側操作部
４ａ、４ｂ  回転側操作部
５  赤外線発光部
９  脚部
２０  回転軸
２１  回転検知板
２２ａ、２２ｂ  回転検知スイッチ
２３  回路基板
３１、３５  制御部
３２  透過型液晶パネル
３３ａ、３３ｂ  タッチパネル
３４ａ、３４ｂ  反射型液晶パネル
【図１】
0004587917.tif 000002
【図２】
0004587917.tif 000003
【図３】
0004587917.tif 000004
【図４】
0004587917.tif 000005
【図５】
0004587917.tif 000006
【図６】
0004587917.tif 000007
【図７】
0004587917.tif 000008
【図８】
0004587917.tif 000009
【図９】
0004587917.tif 000010
【図１０】
0004587917.tif 000011